(57)【要約】【課題】本体ケースの外側面部に、本体ケースを器具取付口に仮止め支持するための仮止め部材が設けられた浴室暖房機において、生産性の向上を図ること。【解決手段】浴室４の天井４１に開設された器具取付口４１０に埋め込み状態で設置される浴室暖房機１であって、本体ケース１１の対向する二つのケース側面部１１１にそれぞれ、本体ケース１１を器具取付口４１０に下方から挿入した際に器具取付口４１０の周縁部に係合し、本体ケース１１を支持可能な仮止め部材３が設けられ、前記二つのケース側面部１１１にそれぞれ、仮止め部材３を係合保持可能な仮止め部材保持部２０が設けられ、それらケース側面部１１１相互の対向方向を左右方向、左右方向に対して上方から直交する方向を上下方向としたとき、仮止め部材３と仮止め部材保持部２０とが少なくとも二箇所で対向方向に押圧当接することで、仮止め部材３の左右方向への移動が規制される構成としたこと。【選択図】図２
2019032130.tif 000002
【特許請求の範囲】
【請求項１】
浴室の天井に開設された器具取付口に埋め込み状態で設置される浴室暖房機であって、本体ケースの対向する二つのケース側面部にそれぞれ、本体ケースを器具取付口に下方から挿入した際に器具取付口の周縁部に係合し、本体ケースを支持可能な仮止め部材が設けられ、
前記二つのケース側面部にそれぞれ、仮止め部材を係合保持可能な仮止め部材保持部が設けられ、
仮止め部材保持部が設けられた支持側のケース側面部相互の対向方向を左右方向、左右方向に対して上方から直交する方向を上下方向としたとき、
仮止め部材と仮止め部材保持部とが少なくとも二箇所で対向方向に押圧当接することで、仮止め部材の左右方向への移動が規制される構成とした、浴室暖房機。
【請求項２】
請求項１に記載の浴室暖房機において、
仮止め部材および仮止め部材保持部は、少なくとも上下に離間した二箇所で押圧当接する、浴室暖房機。
【請求項３】
請求項１または２に記載の浴室暖房機において、
仮止め部材および仮止め部材保持部は、左右に対向する一対の上側の当接部と、上側の当接部から下方に離間した下側の当接部との三箇所で押圧当接する、浴室暖房機。
【請求項４】
請求項１から３のいずれか一項に記載の浴室暖房機において、
仮止め部材および仮止め部材保持部は、所定の一箇所が左右方向に面接触した状態で押圧当接する、浴室暖房機。
【請求項５】
請求項１から４のいずれか一項に記載の浴室暖房機において、
仮止め部材は、仮止め部材保持部の少なくとも所定の一箇所に左右および上下方向から当接保持され、仮止め部材の左右方向への移動を規制する機能と上下方向への移動を規制する機能とを兼ねる係合部を有する、浴室暖房機。
【発明の詳細な説明】
【技術分野】
【０００１】
本発明は、浴室暖房機、特に、浴室の天井に埋め込み状態で設置される浴室暖房機に関する。
【背景技術】
【０００２】
従来、浴室の天井に開設された器具取付口に埋め込み状態で設置される所謂天井埋設式の浴室暖房機において、ファンや熱交換器を収容する本体ケースの外側面部に、本体ケースを器具取付口に下方から挿入した際に、器具取付口の周縁部に当接係合し、天井に対して本体ケースを仮止め状態で支持する仮止め部材が設けられたものが知られている（例えば、特許文献１参照）。
【先行技術文献】
【特許文献】
【０００３】
【特許文献１】特開２００２−１３０７９７号公報
【発明の概要】
【発明が解決しようとする課題】
【０００４】
しかしながら、上記従来の浴室暖房機では、本体ケースの外側面部に複数の仮止め部材をそれぞれねじにより固定しているため、製造に要する時間や工程数が多く、生産性が悪かった。
【０００５】
本発明は、上記課題を鑑みてなされたものであり、その目的は、本体ケースの外側面部に、本体ケースを器具取付口に仮止め支持するための仮止め部材が設けられた浴室暖房機において、生産性の向上を図ることにある。
【課題を解決するための手段】
【０００６】
本発明は、浴室の天井に開設された器具取付口に埋め込み状態で設置される浴室暖房機であって、本体ケースの対向する二つのケース側面部にそれぞれ、本体ケースを器具取付口に下方から挿入した際に器具取付口の周縁部に係合し、本体ケースを支持可能な仮止め部材が設けられ、前記二つのケース側面部にそれぞれ、仮止め部材を係合保持可能な仮止め部材保持部が設けられ、仮止め部材保持部が設けられた支持側のケース側面部相互の対向方向を左右方向、左右方向に対して上方から直交する方向を上下方向としたとき、仮止め部材と仮止め部材保持部とが少なくとも二箇所で対向方向に押圧当接することで、仮止め部材の左右方向への移動が規制される構成としたものである。
【０００７】
このものでは、対向する二つのケース側面部において、仮止め部材と仮止め部材保持部とが少なくとも二箇所で対向方向に押圧当接することで、仮止め部材が支持側のケース側面部から離反する左右方向へ移動するのが規制されるから、固定用のねじを用いなくても、ケース側面部に対して仮止め部材を容易且つ強固に固定することが可能である。
【０００８】
好ましくは、上記浴室暖房機において、仮止め部材および仮止め部材保持部は、少なくとも上下に離間した二箇所で押圧当接する。
【０００９】
本体ケースを器具取付口に挿入し、仮止め部材を器具取付口の周縁部に係合させた仮止め状態のとき、仮止め部材には、回転モーメントが作用して支持側のケース側面部から離反させようとする左右方向へ応力が加わる。しかしながら、このものでは、仮止め部材と仮止め部材保持部とが上下に離間した二箇所で押圧当接するから、仮止め部材に支持側のケース側面部から離反させようとする左右方向へ応力が加わっても、固定状態を確実に維持することができる。
【００１０】
また、仮止め部材は、本体ケースを器具取付口に挿入する際に、器具取付口の周縁部に当接して内向き、即ち、支持側のケース側面部に近接する方向に押圧力が加わり、器具取付口を通過可能な形態になるまで変形しようとする。従って、仮止め部材には、弾性の高い材料によって形成された板バネを用いるのが望ましい。しかしながら、上記浴室暖房機の仮止め部材は、仮止め部材保持部に対して上下に離間した二箇所で当接保持されるから、上記のように変形しても、器具取付口を通過すれば、元の自然形状に復帰し易い。従って、仮止め部材に、板バネより安価に製造可能な弾性を有する金属板や樹脂材料を用いることも可能である。
【００１１】
好ましくは、上記浴室暖房機において、仮止め部材および仮止め部材保持部は、左右に対向する一対の上側の当接部と、上側の当接部から下方に離間した下側の当接部との三箇所で押圧当接する。
【００１２】
このものでは、仮止め部材と仮止め部材保持部とが左右に対向する一対の上側の当接部と、下側の当接部との三箇所で押圧当接するから、仮止め部材が支持側のケース側面部から離反する左右方向に移動するのをより確実に規制することができる。また、上記各当接箇所の接触摩擦力によって、仮止め部材が支持側のケース側面部に沿って前後方向や上下方向に移動するのも確実に制限できる。これにより、ケース側面部に対して仮止め部材をより強固に固定することが可能である。
【００１３】
好ましくは、上記浴室暖房機において、仮止め部材および仮止め部材保持部は、所定の一箇所が左右方向に面接触した状態で押圧当接する。
【００１４】
このものでは、仮止め部材と仮止め部材保持部とが左右方向から面接触した状態で押圧当接するから、仮止め部材が支持側のケース側面部から離反する左右方向へ移動するのをより確実に規制することができるし、また、上記面接触部の摩擦力によって、仮止め部材が支持側のケース側面部に沿って前後方向や上下方向に移動するのも確実に規制することができる。よって、ケース側面部に対して仮止め部材を容易且つ強固に固定することが可能である。
【００１５】
好ましくは、上記浴室暖房機において、仮止め部材は、仮止め部材保持部の少なくとも所定の一箇所に左右および上下方向から当接保持され、仮止め部材の左右方向への移動を規制する機能と上下方向への移動を規制する機能とを兼ねる係合部を有する。
【００１６】
このものでは、仮止め部材の係合部が仮止め部材保持部の所定の一箇所に対して左右および上下方向から当接保持されることで、仮止め部材が支持側のケース側面部から離反する左右方向やケース側面部に沿って上下方向に移動するのが規制されるから、ケース側面部に対して仮止め部材をより容易且つ強固に固定することが可能である。
【発明の効果】
【００１７】
以上のように、本発明によれば、固定用のねじを用いなくても、仮止め部材をケース側面部に容易且つ強固に固定することが可能であるから、製造に要する時間や工程数を削減できる。よって、生産性が向上する。
【図面の簡単な説明】
【００１８】
【図１】図１は、本発明の実施の形態に係る浴室暖房機の概略斜視図である。
【図２】図２は、本発明の実施の形態に係る浴室暖房機の概略縦断面図である。
【図３】図３は、本発明の実施の形態に係る浴室暖房機の仮止め部材周辺の斜視図である。
【図４】図４は、本発明の実施の形態に係る浴室暖房機の仮止め部材周辺の一部分解斜視図である。
【図５】図５は、本発明の実施の形態に係る浴室暖房機の仮止め部材周辺の係合爪片を通る縦断面図である。
【図６】図６は、本発明の実施の形態に係る浴室暖房機の仮止め部材周辺の係合板片を通る縦断面図である。
【図７】図７は、本発明の実施の形態に係る浴室暖房機の仮止め部材周辺の他の形態Ａを示す斜視図である。
【図８】図８は、本発明の実施の形態に係る浴室暖房機の仮止め部材周辺の他の形態Ａを示す縦断面図である。
【図９】図９は、本発明の実施の形態に係る浴室暖房機の仮止め部材周辺の他の形態Ｂを示す斜視図である。
【図１０】図１０は、本発明の実施の形態に係る浴室暖房機の仮止め部材周辺の他の形態Ｂを示す縦断面図である。
【発明を実施するための形態】
【００１９】
次に、本発明を実施するための形態について、添付図面を参照しながら詳述する。
【００２０】
図１および図２に示すように、本発明の実施の形態に係る浴室暖房機１は、浴室４の天井４１に開設された器具取付口４１０に埋め込み状態で設置される所謂天井埋設式の浴室暖房機であって、下面が開放する略矩形箱状の本体ケース１１と、本体ケース１１の下面開口部（以下、「ケース開口部」という）１１０を下方から覆う下方視略長方形状のカバー１２とで外郭が構成されている。
【００２１】
尚、図示しないが、カバー１２には、浴室４内の空気を本体ケース１１の内部（以下、「ケース内部」という）１０に導入するための複数のスリットからなる吸込口と、ケース内部１０に導入された空気を浴室４に導出するための略矩形長孔状の吹出口とが設けられており、吹出口は、カバー１２の一方（図１の左奥側）の長縁寄りの位置に延設されている。そして本明細書では、本体ケース１１の上記長縁側と反対側（図１の右手前側）に位置する側壁を前壁１１Ａ、上記長縁側に位置し、前壁１１Ａに対向する側壁を後壁１１Ｂ、前壁１１Ａおよび後壁１１Ｂの側縁部相互を繋ぐ二つの対向する側壁をそれぞれ左側壁１１Ｃおよび右側壁１１Ｄとして、前壁１１Ａおよび後壁１１Ｂ相互の対向方向を前後方向、左側壁１１Ｃおよび右側壁１１Ｄ相互の対向方向を左右方向、前後および左右方向それぞれに直交する方向を上下方向という。
【００２２】
本体ケース１１の下端外周縁の外周には、全周に亘って外向きにフランジ１１２が形成されており、本体ケース１１は、器具取付口４１０に下方（浴室４側）から挿入し、フランジ１１２の上面を器具取付口４１０の周縁下部に当接させた状態で、図示しない複数の本体固定ねじにより天井４１にねじ留め固定される。一方、カバー１２は、フランジ１１２の全体を覆った状態で本体ケース１１に下方（浴室４側）からねじ留め固定される。このように、浴室暖房機１は、本体ケース１１を器具取付口４１０に浴室４側から挿入してねじ留め固定した後、カバー１２を本体ケース１１に固定して設置される。
【００２３】
ケース内部１０には、浴室４内の空気をケース内部１０の送風路１３を通じて循環させる循環ファン１４と、送風路１３内に導入される空気を加熱する熱交換器１５とが組み込まれている。本体ケース１１の後壁１１Ｂには、浴室４内の空気をケース内部１０に導入し、排気筒１６を通じて室外に排出する排気ファン１７が設けられている。このように、本実施の形態に係る浴室暖房機１は、換気ファン１７を備えた空気調和機であり、浴室４内の空気を熱交換器１５により加熱し循環させる暖房運転に加え、浴室４内の空気を排気ファン１７によって室外へ排出させつつ、循環ファン１４によって浴室４内に循環させる乾燥運転、浴室４内の空気を排気ファン１７によって室外へ排出させる換気運転等を実行可能に構成されている。
【００２４】
循環ファン１４は、左右に長い略円筒状のシロッコファンであり、送風路１３の左右の内側面相互間に回動自在に軸支されている。循環ファン１４の左端の軸部（図示しない）には、循環ファン１４の駆動源となるファンモータ１４０が接続されている。
【００２５】
熱交換器１５は、図示しない熱源機から供給される湯等の熱媒の熱により周囲の空気を加熱する熱媒循環式の熱交換器であって、左右方向に対向して複数縦並びで配設される吸熱フィン１５１と、吸熱フィン１５１に左右方向から貫挿される複数の吸熱管１５２とで構成され、送風路１３における循環ファン１４より下流側（吹出口側）の位置に設けられている。
【００２６】
本体ケース１１の対向する二つの左側壁１１Ｃおよび右側壁１１Ｄの外側面（以下、「ケース側面部」という）１１１にはそれぞれ、本体ケース１１を器具取付口４１０に下方から挿入した際に器具取付口４１０の周縁上部に上方から当接係合し、本体ケース１１を天井裏４０にて仮止め状態で支持する仮止め部材３が設けられている。
【００２７】
仮止め部材３は、上下に長い略長方形状の金属鋼板で形成されており、上端部（以下、「仮止め部材上端部」という）３０１が対象とする支持側のケース側面部１１１に形成された仮止め部材保持部２０に対して片持ち梁状に係合保持され、ケース側面部１１１より外側へ斜め下向きに突出して設けられている。
【００２８】
従って、本体ケース１１を器具取付口４１０に下方から挿入する際、仮止め部材３は、外側面（以下、「仮止め部材外側面」という）３０３が器具取付口４１０の周縁部に当接して内向き、即ち、支持側のケース側面部１１１に近接する方向に押圧されて弾性的に傾倒する。そしてさらに本体ケース１１を器具取付口４１０に押し込めば、仮止め部材３は、弾性力によって天井裏４０側にて傾倒前の元の突出状態に復帰し、下端部（以下、「仮止め部材下端部」という）３０２が器具取付口４１０の周縁上部に当接係合された状態になる。これにより、本体ケース１１を天井４１に固定する際に、本体ケース１１が器具取付口４１０から脱落するのを阻止することができる。即ち、本体ケース１１を器具取付口４１０の天井裏４０側から仮止め状態で支持させておくことができる。
【００２９】
図３および図４に示すように、仮止め部材保持部２０は、前後方向に所定の間隙を存して並設される一対の略矩形筒状の被係合筒部２１と、被係合筒部２１相互間の略中央部にてケース側面部１１１の外側方（外向き）に突出形成される被係合突起２２と、ケース側面部１１１における被係合筒部２１より下方に離間した位置に設けられ、仮止め部材３を仮止め部材保持部２０に係合保持させたときに、仮止め部材３の内側面（以下、「仮止め部材内側面」という）３０４に当接する単数又は複数（ここでは、３つ）の支持突起２３とを備えている。
【００３０】
図３から図６に示すように、仮止め部材３は、仮止め部材上端部３０１から支持側のケース側面部１１１の外側下方へ向かって鈍角に折曲形成されている。仮止め部材上端部３０１には、前後の側端からそれぞれ上向きに延出する一対の上方視略Ｌ字状の係合爪片３１と、係合爪片３１相互間の略中央部から上向きに延出する板状の係合板片３２とが形成されている。
【００３１】
係合爪片３１は、仮止め部材３を仮止め部材保持部２０に係合保持させた状態のときに、被係合筒部２１の内側左右側面部（本体ケース１１側の内側面部、以下、「支持面部」という）２１１に左右方向から対向する当接板部３１１と、被係合筒部２１の内側前後面部（前側又は後側の内側面部、以下、「前後規制面部」という）２１２に前後方向から対向するガイド板部３１２とで構成されており、係合爪片３１を被係合筒部２１に下方から挿入させることで、当接板部３１１と支持面部２１１とが左右方向に押圧状態で面接触すると共に、ガイド板部３１２の外側端面３１３と被係合筒部２１の内側対向面部（支持面部２１１と対向する側の内側面部、以下、「押さえ面部」という）２１３とが左右方向に押圧状態で当接する。
【００３２】
ガイド板部３１２は、前後方向から前後規制面部２１２に面接触し、係合爪片３１と係合板片３２との間隙の下端縁部（以下、「間隙下縁部」という）３１４は、被係合筒部２１の下端部２１４に下方から当接する。
【００３３】
係合板片３２の前後間の略中央部には、仮止め部材保持部２０の被係合突起２２を挿通係合させるための横長略長方形状の係合孔３２０が開設されており、係合爪片３１を被係合筒部２１に挿入させることで、係合板片３２と支持側のケース側面部１１１とが左右方向に押圧状態で当接し、係合孔３２０に被係合突起２２が嵌入される。さらにこのとき、仮止め部材内側面３０４の上下間の中間部と仮止め部材保持部２０の支持突起２３とが左右方向に押圧状態で当接する。
【００３４】
このように、仮止め部材３は、係合爪片３１を被係合筒部２１に挿入させることで、仮止め部材保持部２０に左右対向して設けられた一対の上側の当接部としての支持面部２１１および押さえ面部２１３の二箇所と、上側の当接部より下方に離間した位置に設けられた下側の当接部としての支持突起２３の一箇所と、さらに被係合筒部２１相互間のケース側面部１１１の一箇所とで係合保持され、これにより、支持側のケース側面部１１１から離反する左右方向への移動が規制される。また、上記各係合保持される箇所の接触摩擦力によって、前後方向や上下方向への移動も制限される。
【００３５】
また、ガイド板３１２と前後規制面部２１２との面接触部の摩擦力によって、仮止め部材３が左右方向や上下方向へ移動するのがより確実に制限され、さらに係合板片３２の係合孔３２０にケース側面部１１１の被係合突起２２が嵌入し、且つ、係合爪片３１と係合板片３２との間隙下縁部３１４が被係合筒部２１の下端部２１４に当接することで、仮止め部材３の上下方向への移動がより確実に規制される。
【００３６】
ガイド板部３１２の外側端面３１３は、下端寄りの位置から当接板部３１１側の上方へ向かって傾斜している。従って、係合爪片３１を被係合筒部２１に挿入する際に、ガイド板部３１２が被係合筒部２１の下端縁部に引っ掛かり難い。
【００３７】
係合板片３２の上端部３２１は、係合孔３２０の上縁部近傍から外側上方へ向かって鈍角に折曲形成されている。従って、係合孔３２０にケース側面部１１１の被係合突起２２を嵌入させる際に、係合板片３２の上端部３２１が被係合突起２２の下縁部に引っ掛かり難い。
【００３８】
仮止め部材３における支持突起２３の当接部の近傍位置には、ビード加工によって仮止め部材外側面３０３側へ凸のリブ３３が単数又は複数形成されている。リブ３３は、仮止め部材３の長手方向（上下方向）と同一方向に長い直線状に形成されている。本実施の形態では、仮止め部材３の前後の側縁部に沿って略平行に二つ形成されている。
【００３９】
上記浴室暖房機１によれば、仮止め部材３の係合爪片３１を支持側のケース側面部１１１に設けられた被係合筒部２１に挿入させることで、仮止め部材上端部３０１と被係合筒部２１とが少なくとも二箇所で左右対向方向に押圧当接し、これにより、仮止め部材３が支持側のケース側面部１１１から離反する左右方向へ移動するのが規制されるから、固定用のねじを用なくても、ケース側面部１１１に対して仮止め部材３を容易且つ強固に係合固定させることができる。これにより、製造に要する時間や工程数を削減でき、生産性が向上する。
【００４０】
しかも、このものでは、仮止め部材３と仮止め部材保持部２０とが支持面部２１１および押さえ面部２１３の二箇所（上側の当接部）と、それら支持面部２１１および押さえ面部２１３より下方に離間した支持突起２３の一箇所（下側の当接部）とで左右方向に押圧当接するから、仮止め部材下端部３０２を器具取付口４１０の周縁上部に当接係合させた仮止め状態のときに生じる回転モーメントによって、仮止め部材上端部３０１に支持側のケース側面部１１１から離反させようとする左右方向へ応力が加わっても、固定状態を確実に維持することができる。即ち、ケース側面部１１１に対して仮止め部材３をより強固に固定保持させることができる。
【００４１】
さらに、仮止め部材３は、本体ケース１１を器具取付口４１０に挿入する際に、器具取付口４１０の周縁部に当接して内向き、即ち、支持側のケース側面部１１１に近接する方向に押圧力が加わり、器具取付口４１０を通過可能な形態になるまで弾性的に傾倒変形しようとするが、仮止め部材３は、仮止め部材保持部２０の上側の当接部および下側の当接部の上下二箇所で当接保持されるから、上記のように傾倒変形しても、器具取付口４１０を通過すれば、元の自然形状に復帰し易い。従って、仮止め部材３に、板バネより安価に製造可能な弾性を有する金属板や樹脂材料を用いることも可能である。
【００４２】
また、このものでは、当接板部３１１と支持面部２１１とが面接触した状態で押圧当接するように構成されており、他の当接箇所の接触摩擦力に加え、それら当接板部３１１および支持面部２１１相互の面接触部による摩擦力によって、仮止め部材３の前後方向や上下方向への移動が制限されるから、ケース側面部１１１に対して仮止め部材３をより強固に固定保持させることができる。
【００４３】
また、仮止め部材３の前後方向への移動は、ガイド板部３１２が被係合筒部２１の前後規制面部２１２に当接することによっても規制され、仮止め部材３の上下方向への移動は、間隙下縁部３１４が被係合筒部２１の下端部２１４に当接することや、係合板片３２の係合孔３２０に被係合突起２２が嵌入することによっても規制される。従って、ケース側面部１１１に対して仮止め部材３をより強固に固定保持させることができる。
【００４４】
尚、上記浴室暖房機１では、本体ケース１１内における左側壁１１Ｃ寄りの位置にファンモータ１４０が組み込まれている。そのため、ファンモータ１４０の振動が左側壁１１Ｃ側の仮止め部材３に伝わり易い。しかしながら、仮止め部材３は、上記のようにケース側壁１１１に対して強固に係合固定されるから、ファンモータ１４０の振動の影響を受けて仮止め部材保持部２０から外れたり、他の部位と干渉して騒音を引き起こしたりすることもない。
【００４５】
さらに、係合爪片３１のガイド板部３１２の外側端面３１３が下端側から斜め上方内向きに傾斜していることで、係合爪片３１を被係合筒部２１に円滑に挿入することができ、また、係合板片３２の上端部３２１が外側上方へ向かって折曲形成されていることで、係合孔３２０にケース側面部１１１の被係合突起２２を円滑に嵌入させることもできるから、ケース側面部１１１に対して仮止め部材３をより容易に係合固定させることができる。よって、生産性がより一層向上する。
【００４６】
ところで、仮止め部材３は、ケース側面部１１１の被係合筒部２１に対して仮止め部材上端部３０１が片持ち梁状に係合保持され、仮止め部材内側面３０４の上下間の中間部、被係合筒部２１より下方位置にケース側面部１１１の支持突起２３が当接支持されるように構成されている。そのため、本体ケース１１を器具取付口４１０に挿入する際に、仮止め部材外側面３０３が器具取付口４１０の周縁部に当接し、仮止め部材３に対して外側方から支持側のケース側面部１１１に近接する方向（左右方向）へ押圧力が加わると、仮止め部材内側面３０４における支持突起２３の当接部に対して集中荷重がかかることになる。
【００４７】
しかしながら、このものでは、仮止め部材３の上下間の中間部に、上下に長い直線状のリブ３３が複数形成されているから、仮止め部材内側面３０４の支持突起２３の当接部に集中荷重がかかっても、仮止め部材３は、その当接部周辺で弾性限界を超えて折曲変形され難い。これにより、仮止め部材３の機能が容易に損なわれるのも防止できる。
【００４８】
上記実施の形態では、仮止め部材上端部３０１に設けられた前後一対の係合爪片３１の間に、係合板片３２が係合爪片３１と略同一方向（上向き）に延出形成され、係合板片３２の係合孔３２０に仮止め部材保持部２０の被係合突起２２が挿通係合されることで、仮止め部材３の下方への移動が規制されるように構成されたものを説明したが、図７および図８に示す形態Ａのように、係合爪片３１の延出方向と反対方向（下向き）に前方視略Ｌ字状の係合部としての係合板片３４が延出形成されており、係合板片３４の下縁下面部３４１とケース側面部１１１に形成された縦断面略Ｌ字状の被係合凹部２４の上面部（以下、「凹部上面」という）２４１とが上下方向に面接触し、係合板片３４の下縁内側部３４２と被係合凹部２４の側面部（以下、「凹部側面」という）２４２とが左右方向に当接するように構成されたもの、即ち、係合板片３４と仮止め部材保持部２０の下側の当接部としての被係合凹部２４とが左右および上下方向に当接保持されるように構成されたものとしてもよい。
【００４９】
本形態Ａによれば、係合板片３４が仮止め部材３の左右方向への移動を規制する機能と上下方向への移動を規制する機能とを兼ねているから、ケース側面部１１１に対して仮止め部材３をより強固に固定することが可能である。また、下縁下面部３４１および凹部上面２４１相互の接触摩擦力によって、仮止め部材３が支持側のケース側面部１１１から離反する左右方向やケース側面部１１１に沿って前後方向へ移動するのも確実に規制することができるから、ケース側面部１１１に対して仮止め部材３をより強固に係合固定させることができる。
【００５０】
また、本形態Ａでは、係合板片３４が被係合凹部２４に係合された状態のとき、係合板片３４の下縁内側部３４２と凹部側面２４２とが左右方向に押圧状態で当接するように構成されており、仮止め部材内側面３０４における仮止め部材上端部３０１以外の箇所は、被係合凹部２４にもケース側面部１１１にも当接しない。即ち、本形態Ａでは、係合爪片３１を被係合筒部２１に挿入させることで、仮止め部材３と仮止め部材保持部２０とが左右対向して設けられた一対の上側の当接部としての支持面部２１１および押さえ面部２１３の二箇所と、上側の当接部より下方に離間した位置に設けられた下側の当接部としての凹部側面２４２の一箇所とで左右方向に押圧当接し、これにより、仮止め部材３が支持側のケース側面部１１１から離反する左右方向へ移動するのが規制される。また、上記各押圧保持される箇所の接触摩擦力によって、前後方向や上下方向への移動も制限される。
【００５１】
また、先に説明した実施の形態では、仮止め部材上端部３０１に設けられた前後一対の係合爪片３１を仮止め部材保持部２０の被係合筒部２１に挿入し、且つ、係合爪片３１相互間に設けられた係合板片３２の係合孔３２０に仮止め部材保持部２０の被係合突起２２を挿通係合させることで、仮止め部材３がケース側面部１１１に係合保持されるように構成されたものを説明したが、図９および図１０に示す形態Ｂのように、仮止め部材上端部３０１の全体が前方視略Ｕ字状に折曲形成されている一方、ケース側面部１１１に、一つの横長略矩形筒状の被係合筒部２５を備えた仮止め部材保持部２０が形成されており、仮止め部材上端部３０１の内側面部（以下、「内側当接板部」という）３５１が被係合筒部２５の内側対向面部（本体ケース１１側の内側面部、以下、「支持面部」という）２５１に押圧状態で面接触すると共に、仮止め部材上端部３０１の外側面部（以下、「外側当接板部」という）３５３が被係合筒部２５の内側対向面部（支持面部２５１と対向する側の内側面部、以下、「押さえ面部」という）２５３に押圧状態で面接触し、且つ、外側当接板部３５３に設けられた係合孔３５０に、押さえ面部２５３に設けられた被係合突起２６が嵌入するように構成されたものとしてもよい。
【００５２】
本形態Ｂによれば、仮止め部材上端部３０１をケース側面部１１１に設けられた被係合筒部２５に挿入させることで、仮止め部材上端部３０１と被係合筒部２１の支持面部２１１および押さえ面部２１３の少なくとも二箇所とが比較的広い範囲で左右対向方向に押圧当接し、これにより、仮止め部材３が支持側のケース側面部１１１から離反する左右方向へ移動するのが規制される。また、仮止め部材上端部３０１の内側当接板部３５１と支持面部２５１との接触摩擦力、および、外側当接板部３５３と押さえ面部２５３との接触摩擦力によって、仮止め部材３の前後方向や上下方向への移動も制限される。これにより、ケース側面部１１１に対して仮止め部材３をより強固に係合固定させることができる。
【００５３】
また、上記形態Ｂでは、仮止め部材上端部３０１の前後の端縁部３５２が被係合筒部２５の内側対向面部（前側又は後側の内側面部、以下、「前後規制面部」という）２５２に接触し、仮止め部材上端部３０１の上端折曲部３５４が被係合筒部２５の内側上面部２５２に接触するように構成されている。これにより、仮止め部材３が支持側のケース側面部１１１に沿って前後方向や上方へ移動するのがより確実に規制される。
【００５４】
また、上記形態Ｂでは、仮止め部材上端部３０１の外側当接板部３５３は、係合孔３５０の上縁部近傍から内側当接板部３５１の上端縁へ向かって傾斜している。従って、仮止め部材上端部３０１を被係合筒部２１に挿入する際に、外側当接板部３５３が被係合筒部２１の下端縁部に引っ掛かり難い。よって、ケース側面部１１１に対して仮止め部材３をより容易に係合固定させることができる。
【００５５】
尚、仮止め部材３は、金属鋼板により形成されたものとしたが、本体ケース１１を器具取付口４１０に下方から挿入する際に外側方から加わる押圧力によって、塑性変形するまで折曲されない程度の弾性を備えたものであれば、金属鋼板より弾性力の高い材料で形成されたものとしてもよい。
【符号の説明】
【００５６】
１      浴室暖房機
１１    本体ケース
１１１  ケース側面部
２０    仮止め部材保持部
３      仮止め部材
４１    天井
４１０  器具取付口
【図１】
2019032130.tif 000003
【図２】
2019032130.tif 000004
【図３】
2019032130.tif 000005
【図４】
2019032130.tif 000006
【図５】
2019032130.tif 000007
【図６】
2019032130.tif 000008
【図７】
2019032130.tif 000009
【図８】
2019032130.tif 000010
【図９】
2019032130.tif 000011
【図１０】
2019032130.tif 000012